(57)【要約】【課題】基礎表面の水平レベル出しが不要、床下断熱性に優れ、床下の点検、メンテナンスが容易、床下収納や蓄熱型基礎等として活用できる住宅建築物の基礎構造及びその構築方法を提供する。【解決手段】外周基礎梁用の外型枠８で囲繞される地盤Ａに発泡プラスチックからなるブロック体１３を設けてそのブロック体１３と外型枠８との間に外周基礎梁用のスペースＳ１を、またそのブロック体１３間に内部基礎梁用のスペースＳ２を形成した後、外型枠８の上部部分との間に上部基礎梁用のスペースＳ３をおいて断熱材１５を設けて前記スペースＳ１、Ｓ２、Ｓ３及びブロック体群上にコンクリートＤを打設するか、前記スペースＳ１、Ｓ２及びブロック体群上にコンクリートＤを打設してから外型枠８の上部部分との間に上部基礎梁用のスペースＳ３をおいて断熱材１５を配設して上部基礎梁用のスペースＳ３にコンクリートＤを打設する。それによって、スラブ２上に土台ｂを支持する上部基礎梁４を構築すると同時に側周面が断熱材１５で被覆される床下空間６を形成する。【選択図】　図２
2004124490.tif 000002
【特許請求の範囲】
【請求項１】
外周基礎梁と内部基礎梁とを備えたコンクリート基礎梁と、該コンクリート基礎梁の上端部分に連続するコンクリートスラブとで建築物の重量を支持し、地盤と前記コンクリート基礎梁と前記コンクリートスラブとで囲まれた領域に発泡断熱体を収容した住宅建築物の基礎構造において、前記スラブ上に建築物の土台を支持する上部基礎梁を構築して上部基礎梁で囲繞される床下空間を前記スラブ上方に形成し、該上部基礎梁の少なくとも内側面を断熱層で被覆していることを特徴とする住宅建築物の基礎構造。
【請求項２】
地盤を根切りして外周基礎梁用の外型枠を設け、該外型枠で囲繞される地盤の所定位置に発泡プラスチックからなる複数個のブロック体を敷設してそのブロック体と前記外型枠との間に外周基礎梁用のスペースを、またブロック体間に内部基礎梁用のスペースを各々形成し、該各々のスペースに外周基礎梁の配筋、内部基礎梁の配筋を設けると共に前記ブロック体上方に該基礎梁の配筋と連結させてスラブ配筋を設け、前記外型枠の上部部分との間に上部基礎梁用のスペースを隔てて内型枠として断熱材を配設した後、コンクリートを打設して該断熱材と一体化させて構築することを特徴とする住宅建築物における基礎構造の構築方法。
【請求項３】
地盤を根切りして外周基礎梁用の外型枠を設け、該外型枠で囲繞される地盤の所定位置に発泡プラスチックからなる複数個のブロック体を敷設してそのブロック体と前記外型枠との間に外周基礎梁用のスペースを、またブロック体間に内部基礎梁用のスペースを各々形成し、該各々のスペースに前記外周基礎梁の配筋と内部基礎梁の配筋とを設けると共に前記ブロック体上部に該基礎梁の配筋と連結させてスラブ配筋を設けた後、外周基礎梁用、内部基礎梁用、スラブ用のコンクリートを打設し、その後、前記外型枠の上部部分との間に上部基礎梁用のスペースを隔てて内型枠として断熱材を配設した後、その上部基礎梁用のスペースにコンクリートを打設して該断熱材と一体化させて構築することを特徴とする住宅建築物における基礎構造の構築方法。
【請求項４】
前記上部基礎梁に配筋する際には、外周基礎梁、内部基礎梁、スラブのうちの少なくともいずれかの配筋と連結させて配設することを特徴とする請求項２または３記載の住宅建築物における基礎構造の構築方法。
【発明の詳細な説明】
【０００１】
【発明の属する技術分野】
本発明は、住宅建築物の重量を、コンクリート基礎梁とコンクリートスラブにて支持する住宅建築物の基礎構造及びその構築方法に関するものである。
【０００２】
【従来の技術】
従来の住宅建築物の基礎構造には、建築物の底面全体に亙って組み込んだ地中梁と、その地中梁上端部分に連続する床スラブとで建築物の重量を支持し、地中梁で囲まれた領域に発泡ポリスチレンで形成した複数のブロック体を敷設した構成のものがある（例えば、特許文献１参照）。
【０００３】
【特許文献１】
実公平８−３４６３号公報（第１〜３頁、第１図）
【０００４】
【発明が解決しようとする課題】
ところで、前記する先行技術は、複数のブロック体を敷設する地盤を根切りせず地中梁を配置する地盤だけの根切りで対処して、基礎の組立作業にかかる手間を解消し、工期の短縮を図る。基礎をブロック体で軽量に構成して、地耐力の不十分な軟弱地盤上に組立てる場合でも沈下を生じることがない。コンクリート打設時の型枠の種類を大幅に減らして、型枠作業にかかる手間を大幅に削減できる。等の特徴を達成することができる。
しかしながら、斯様な基礎構造を有する住宅建築物にあっては、基礎と土台との間に、ある間隔をとってパッキン等のスペーサーを挟持させて給排気用の床下通気空間を確保して自然換気するように構成することになるが、通風に役立つほどの大きな床下通気空間を開口することができず、湿気が対流して結露し、土台を含む床下部材を腐食させてしまう現実がある。
しかも、発泡ポリスチレンのブロック体が基礎への地面温度の伝達を遮断する機能を有するものの、床下の断熱が望めず、快適な住環境を期待できない。
その上、基礎とスラブとからなる基礎表面が建屋全面に亘っているため、土台を支持させるべく基礎表面を水平レベル出しするに際して、その表面全面を広範囲に亘ってはつり作業やモルタル仕上げ作業で調整したり、時には土台を削って対処する必要が生じ、その作業が非常に大変である。
また、床下を収納空間等として有効活用できない不具合もある。
【０００５】
本発明は上記従来事情に鑑みてなされたもので、その技術的課題は、外周基礎梁と内部基礎梁とを備えたコンクリート基礎梁と、そのコンクリート基礎梁の上端部分に連続するコンクリートスラブとで建築物の重量を支持し、地盤とコンクリート基礎梁とコンクリートスラブとで囲まれた領域に発泡断熱体に収容した住宅建築物の基礎構造において、前記スラブ上に構築した土台支持用の上部基礎梁で床下空間を囲繞形成し、その上部基礎梁の少なくとも内側面を断熱層で覆うことによって、土台を支持するに際して基礎表面の水平レベル出しが不要で、床下断熱性に優れ、その上、床下の点検、メンテナンスが容易で床下収納や蓄熱型基礎等としても有効に活用可能な住宅建築物の基礎構造及びその構築方法を提供することにある。
更に他の技術的課題は、発泡プラスチックからなるブロック体を外周基礎梁用の内型枠と内部基礎梁用の内外型枠として兼務させる上に、土台支持用の上部基礎梁の内側面を被覆する断熱材を同上部基礎梁の内型枠として兼務させるようにすることによって、スラブ上に土台支持用の上部基礎梁を設けたにも拘わらず、使用型枠の種類を最少限度に抑制して、外型枠のみのバラシ作業で基礎を構築させるその基礎構造の構築方法を提供することにある。
【０００６】
【課題を解決するための手段】
上記目的を解決するために講じた技術的手段は、住宅建築物の基礎構造においては、外周基礎梁と内部基礎梁とを備えたコンクリート基礎梁と、該コンクリート基礎梁の上端部分に連続するコンクリートスラブとで建築物の重量を支持し、地盤と前記コンクリート基礎梁と前記コンクリートスラブとで囲まれた領域に発泡断熱体を収容した住宅建築物の基礎構造において、前記スラブ上に建築物の土台を支持する上部基礎梁を構築して上部基礎梁で囲繞される床下空間を前記スラブ上方に形成し、該上部基礎梁の少なくとも内側面を断熱層で被覆していることである（請求項１）。ここで、前記断熱層は、床下空間の底面をも被覆することを包含するものである。
【０００７】
上記手段によれば、スラブ上に構築した上部基礎梁表面が、水平精度が良好な土台支持面を構成する。そして、その上部基礎梁が床下の点検、メンテナンス等を容易化する床下空間を確保する。また、その上部基礎梁の少なくとも内側面を被覆する断熱層が床下断熱性を担持すると共に、その断熱層と前記発泡断熱体とが協働して、基礎に熱を蓄熱させた際、その熱を土中に放散し難くして、蓄熱型基礎としての効果を発揮させる。
【０００８】
住宅建築物の基礎方法においては、地盤を根切りして外周基礎梁用の外型枠を設け、該外型枠で囲繞される地盤の所定位置に発泡プラスチックからなる複数個のブロック体を敷設してそのブロック体と前記外型枠との間に外周基礎梁用のスペースを、またブロック体間に内部基礎梁用のスペースを各々形成し、該各々のスペースに外周基礎梁の配筋、内部基礎梁の配筋を設けると共に前記ブロック体上方に該基礎梁の配筋と連結させてスラブ配筋を設け、前記外型枠の上部部分との間に上部基礎梁用のスペースを隔てて内型枠として断熱材を配設した後、コンクリートを打設して該断熱材と一体化させて構築する（請求項２）。地盤を根切りして外周基礎梁用の外型枠を設け、該外型枠で囲繞される地盤の所定位置に発泡プラスチックからなる複数個のブロック体を敷設してそのブロック体と前記外型枠との間に外周基礎梁用のスペースを、またブロック体間に内部基礎梁用のスペースを各々形成し、該各々のスペースに前記外周基礎梁の配筋と内部基礎梁の配筋とを設けると共に前記ブロック体上部に該基礎梁の配筋と連結させてスラブ配筋を設けた後、外周基礎梁用、内部基礎梁用、スラブ用のコンクリートを打設し、その後、前記外型枠の上部部分との間に上部基礎梁用のスペースを隔てて内型枠として断熱材を配設した後、その上部基礎梁用のスペースにコンクリートを打設して該断熱材と一体化させて構築する（請求項３）。ことである。
【０００９】
上記手段によれば、発泡プラスチックからなるブロック体を外周基礎梁用の内型枠と内部基礎梁用の内外型枠として兼務させると共に、土台支持用の上部基礎梁の内側面を被覆する断熱材を同上部基礎梁の内型枠として兼務させることによって、使用型枠の種類を最少限度に抑制して基礎を構築する。
【００１０】
また、請求項２または３記載の上部基礎梁に配筋する際には、外周基礎梁、内部基礎梁、スラブのうちの少なくともいずれかの配筋と連結させて配設するものである（請求項４）。
【００１１】
次に、本発明の実施の形態を説明する。
図１は本発明住宅建築物の基礎構造の第１の実施の形態を、図２、図３はその構築方法の第１、第２の実施の形態を、図４、図５各々は、基礎構造の第２、第３の実施の形態を各々示している。先ず、基礎構造の第１の実施の形態について説明する。
【００１２】
この基礎構造は、図１に示すように、コンクリート基礎梁１と、該コンクリート基礎梁１の上端部分に連続するコンクリートスラブ２と、前記コンクリートスラブ２と地盤Ａとで囲まれる領域に収容する発泡断熱体３と、そのコンクリートスラブ２上に建築物Ｂの土台ｂに対応して設けられた上部基礎梁４と、該上部基礎梁４の内側面を被覆する断熱層５とを備えた構成になっている。
【００１３】
前記コンクリート基礎梁１は、建築物Ｂの周縁と対応するように構築される外周基礎梁１１で囲繞された空間の要所要所を内部基礎梁２１で連設してべた基礎を構成しており、発泡スチレン、発泡ポリエチレン、発泡ポリプロピレン等の発泡プラスチックからなる断熱性を有する軽量な複数のブロック体１３…を両基礎梁１１、２１、コンクリートスラブ２、地盤Ａとで囲まれる前記領域Ｃ内に収容して、前記領域Ｃをブロック体１３…複数個からなるその発泡断熱体３で閉塞することによって、手軽なブロック体１３…のスペーサー的機能で工期を短縮した上に地耐力の不十分な軟弱地盤でも沈下を招くことのない基礎構造を構成するようになっている。
【００１４】
斯かる基礎構造において、前記上部基礎梁４は、建築物Ｂの土台ｂを支持すべく所望高さをもって前記外周基礎梁１１上に枠状に構築され、それによってコンクリートスラブ２を底部とする床下空間６を形成している。
【００１５】
前記断熱層５は、発泡スチレン、発泡ポリエチレン、発泡ポリプロピレン等の断熱材１５を前記床下空間６を囲繞する上部基礎梁４の内側面に接着したり、吹き付けることによって同上部基礎梁４に断熱性を付与して、床下空間６での結露の発生を防止すると共に床下断熱としての機能を奏するようになっている。
【００１６】
斯様に構成された基礎構造では、前記する上部基礎梁４上面を支持面にして土台ｂを支持させ、その作業を始まりとして、建築物Ｂを築造する。
その際、その上部基礎梁４の上面は水平レベル精度が高いため、敢えて水平レベル出しを行わずとも土台ｂを水平状に支持させることができる。
そして、前記床下空間６が土台ｂを含む床下部材で被蓋されて断熱性が付与された密閉空間を構成するため、その床下部材はもとより、床下空間６を床下収納庫、堀り炬燵、床暖房設備の設置空間、物置等として使用しても、それら設備が結露せず腐食させることはない。
【００１７】
次に図２に示す構築方法の第１の実施の形態について手順を追って説明すると、まず構築現場において外周基礎梁１１を構築する対象部位の地盤Ａを根切りする。そして、掘削溝７に外型枠８を立設すると共に外周基礎梁１１用のスペースＳ１を隔ててその掘削溝７に前記ブロック体１３の小片を立設し、併行して外型枠８で囲繞される地盤Ａ所定位置を地ならしし複数個のブロック体１３…を敷設して所定のブロック体１３、１３間に内部基礎梁２１用のスペースＳ２を区画する。そして、各々のスペースＳ１、Ｓ２に外周基礎梁１１の配筋１１ａ、内部基礎梁２１の配筋２１ａを設けると共に前記ブロック体群上方に該基礎梁の配筋１１ａ、２１ａと連結させてスラブ配筋２ａ、上部基礎梁４の配筋４ａを各々設ける。続いて、外型枠８の上部部分との間に上部基礎梁４用のスペースＳ３を隔てて内型枠として断熱材１５を配設する（図２参照）。その後、前記各スペースＳ１、Ｓ２、Ｓ３及びブロック体群上にコンクリートＤを打設して該断熱材１５と一体化させて基礎構造を構築する。
【００１８】
この構築方法によると、外周基礎梁１１用の内型枠、内部基礎梁２１用の内外型枠をブロック体１３が兼務すると共に上部基礎梁４用の内型枠を断熱材１５が兼務するようになり、基礎構築時に必要となる使用型枠の種類を外型枠のみに制限して、手間を削減することができる。
【００１９】
次に図３に示す構築方法の第２の実施の形態について説明すると、この実施の形態は、前記構築方法において、外周基礎梁１１の配筋１１ａ、内部基礎梁２１の配筋２１ａを設けると共に前記ブロック体群上方に該基礎梁１１、２１の配筋１１ａ、２１ａと連結させてスラブ配筋２ａ、上部基礎梁４の配筋４ａを各々設けた後、外周基礎梁１１用のスペースＳ１、内部基礎梁２１用のスペースＳ２、ブロック体群上にコンクリートＤを打設する。その後、外型枠８の上部部分との間に上部基礎梁４用のスペースＳ３を隔てて内型枠として断熱材１５を配設して、そのスペースＳ３にコンクリートＤを打設（図３参照）して該断熱材１５と一体化させて基礎構造を構築するものである。
【００２０】
この構築方法にあっても、外周基礎梁１１用の内型枠、内部基礎梁２１用の内外型枠をブロック体１３が兼務すると共に上部基礎梁４用の内型枠を断熱材１５が兼務する点については前記する実施の形態と同様である。
【００２１】
更に、図４、図５で示す基礎構造の第２、第３の実施の形態を説明すると、これら実施の形態は、前記する断熱層５の配設範囲を拡張した場合の例であり、基礎構造の基本構成については前記する第１の実施の形態と同様であるため、同一符号を付し、具体的な説明は省略する。
図４は、前記断熱層５を上部基礎梁４の内側面のみならず、床下空間６の底面、即ちコンクリートスラブ２の上面をも連続して断熱層５で被覆し、図５にあっては、床下空間６全域を断熱層５で閉塞し、必要箇所に凹部２５をその上面側から凹設し、その凹部２５を、床下収納庫、堀り炬燵、床暖房設備や物置等の収容凹部にしている。
この図４、図５の基礎構造は、前記する第１の実施の形態（図２）、第２の実施の形態（図３）どちらの構築方法を採用して、構築しても自由なものである。
【００２２】
尚、上部基礎梁４部分を利用して開閉可能な比較的大きな換気口を設け、床下空間を必要に応じて換気するのも自由である。
【００２３】
【発明の効果】
本発明は以上のようにコンクリート基礎梁（外周基礎梁と内部基礎梁とを備える）と、該コンクリート基礎梁の上端部分に連続するコンクリートスラブとで建築物の重量を支持し、前記コンクリート基礎梁と前記コンクリートスラブとで囲まれた領域に発泡断熱体を収容した住宅建築物の基礎構造において、スラブ上に建築物の土台を支持する上部基礎梁を構築して上部基礎梁で囲繞される床下空間を形成し、該上部基礎梁の少なくとも内側面を断熱層で被覆した構成の基礎構造であるから、上部基礎梁上面の水平精度が良好で、土台を支持させる前作業であるレベル出し作業が一切不要であり、より高精度にすべく同上部基礎梁部上面を水平仕上げするにしても、短時間で且つ簡単に対応することができる。
しかも、上部基礎梁とコンクリートスラブとの間に床下空間を自ずと確保されるから、この床下空間を、水回り配管や、土台を含む床下部材の点検空間として使用でき、非常に便利である。
その上、その床下空間を床下収納庫、堀り炬燵、床暖房設備の設置空間や、物置、更には水回り配管、電化製品（コンピュータを含む）の配線空間等としても有効活用することが可能である。
また、上部基礎梁の内側面に被覆した断熱層は、床下断熱を担持し、敢えて建屋部分に床下断熱材を裏打せずとも結露の発生を防止すると共に、部屋の恒湿性、恒温性を維持し、住環境を向上させることができる。
更に、その床下空間は、少なくともその内側面が断熱層で覆われており、その断熱層と、発泡断熱体とが協働して基礎（特にコンクリートスラブ部分）を断熱して、基礎に熱を蓄熱させた際、その熱を土中に放散し難くするから、本発明基礎構造を、例えば太陽熱で屋根面、天井面で発生する温熱の一部を強制循環させて基礎部分（例えばコンクリートスラブ）に蓄熱する床暖房システム、電気ヒータを内蔵した蓄熱ボードを床下部材に装設する床暖房システム、冷暖房装置で発生する冷気や冷水の一部を強制循環させて基礎部分（例えばコンクリートスラブ）に蓄熱する冷房システム等のその加熱、加温媒体、冷却媒体による蓄熱型基礎として有効活用することができる。
【００２４】
また、構築方法にあっては、土台支持用の上部基礎梁をコンクリートスラブから突出状に有し、しかもその上部基礎梁の少なくとも内面に断熱層を一体化させて構築した新規構成の基礎構造でありながら、基礎構築時に必要となる使用型枠の種類を外型枠１種のみに制限して外型枠のみのバラシ作業で基礎を構築し、複数種の型枠を配枠する手間及びバラス手間が省け、工期的にも短縮化を図ることができるし、それら型枠の面倒な管理も軽減することができる。
また、上部基礎梁に配筋する時には、外周基礎梁、内部基礎梁、スラブのうちの少なくともいずれかの配筋と連結させて配設されるから、その上部基礎梁が基礎構造の強度アップを図り、堅牢な基礎の構築に寄与することができる。
【図面の簡単な説明】
【図１】本発明住宅建築物の基礎構造の第１の実施の形態の縦断正面図。
【図２】本発明住宅建築物における基礎構造の構築方法の第１の実施の形態の縦断正面図。
【図３】本発明住宅建築物における基礎構造の構築方法の第２の実施の形態の縦断正面図。
【図４】本発明住宅建築物の基礎構造の第２の実施の形態の縦断正面図。
【図５】本発明住宅建築物の基礎構造の第３の実施の形態の縦断正面図。
【符号の説明】
１：コンクリート基礎梁　　　　　　２：コンクリートスラブ
３：発泡断熱体　　　　　　　　　　４：上部基礎梁
Ｃ：領域　　　　　　　　　　　　　ｂ：土台
６：床下空間　　　　　　　　　　　５：断熱層
７：掘削溝　　　　　　　　　　　　８：外型枠（外周基礎梁用）
Ｓ１：外周基礎梁用のスペース　　　Ｓ２：内部基礎梁用のスペース
Ｓ３：上部基礎梁用のスペース　　１１ａ：外周基礎梁の配筋
２１ａ：内部基礎梁の配筋　　　　　　２ａ：スラブの配筋
４ａ：上部基礎梁の配筋　　　　　　　Ｄ：コンクリート
１５：断熱材　　　　　　　　　　　１３：ブロック体
【図１】
2004124490.tif 000003
【図２】
2004124490.tif 000004
【図３】
2004124490.tif 000005
【図４】
2004124490.tif 000006
【図５】
2004124490.tif 000007